(57)【要約】【課題】  保持器音の発生を抑制し、かつ、軸受内の潤滑性を向上することにより焼付きによる寿命低下を防止すること。【解決手段】  樹脂製保持器４は、互いに軸方向に結合した一対の合成樹脂製環状体１０，１０からなる。各合成樹脂製環状体１０は、互いに軸方向に結合した時に、転動体の玉３を収納してその転動を十分に許容する複数個の略半球状ポケット部１１と、隣接する略半球状ポケット部１１，１１の間に設けた複数個の平面部１２と、を有している。一対の合成樹脂製環状体１０，１０の平面部１２，１２は、互いに溶着により（熱溶着又は超音波溶着）固定してある。【選択図】  図２
2007040421.tif 000002
【特許請求の範囲】
【請求項１】
一対の合成樹脂製環状体を互いに軸方向に結合して樹脂製保持器を構成する転がり軸受用保持器に於いて、
各合成樹脂製環状体は、
互いに結合した時に、転動体を収納してその転動を十分に許容する複数個の略半球状ポケット部と、
隣接する略半球状ポケット部の間に設けた複数個の平面部と、を有して成り、
一対の合成樹脂製環状体の平面部は、互いに溶着により固定してあることを特徴とする転がり軸受用保持器。
【請求項２】
一対の合成樹脂製環状体を互いに軸方向に結合して樹脂製保持器を構成する転がり軸受用保持器に於いて、
各合成樹脂製環状体は、
互いに結合した時に、転動体を収納してその転動を十分に許容する複数個の略半球状ポケット部と、
隣接する略半球状ポケット部の間に設けた複数個の平面部と、を有して成り、
各合成樹脂製環状体の平面部に、金属製の薄板状部材がインサート成形してあり、当該平面部は、互いにリベットにより固定してあることを特徴とする転がり軸受用保持器。
【発明の詳細な説明】
【技術分野】
【０００１】
本発明は、例えば、エアコン・ファン・モータやクリーナ・モータ等の回転支持部分を構成するために利用する転がり軸受用保持器に関する。
【背景技術】
【０００２】
エアコンファンモータ等の家電用モータに使用される転がり軸受は、初期のみならず、長期間の静粛性が要求される。
【０００３】
そのため、従来、これらの装置に使用される転がり軸受用保持器は、その材料として耐摩耗性に優れる６６ナイロン等を用い、射出成形による樹脂製保持器であることが多い。
【０００４】
しかし、生産上の問題で、必ずしも寸法誤差が皆無にはならないため、保持器のポケット寸法は、転動体の玉と保持器ポケットとの間の隙間が失われて転動体の玉の回転を阻害しないように、あらかじめ製作誤差を見込み、転動体の玉に対して大きく設定されていた。
【０００５】
また、これらに使用される樹脂製保持器は、冠型の非対称形状を呈しているため、外部の振動により、樹脂製保持器が加振された場合、その挙動が安定せず、場合によっては、保持器音と言われる異音が発生することがあった。
【０００６】
また、冠型の樹脂製保持器は、その構造上、波形の金属保持器に比べ、体積が大きく、その結果、転がり軸受内の空間容積が小さくなるため、転がり軸受へのグリース封入量を少なくする必要があり、必ずしも潤滑の観点からも、最適な構造ではなかった。
【特許文献１】特開２００４−７６７７８号公報
【特許文献２】特開２００３−３４３５７１号公報
【特許文献３】特開平４−２３６８２０号公報
【特許文献４】実開平６−１８４８号公報
【発明の開示】
【発明が解決しようとする課題】
【０００７】
また、特許文献１、特許文献２、及び特許文献４に開示した樹脂製保持器では、２枚の合成樹脂製環状体の一側面に半球状のポケットを周方向に等間隔に形成し、隣接するポケット間の結合部に係合孔と係合爪とを形成して、２枚の環状体を同一形状とし、１種類の形成用金型で成形できるようにしてある。
【０００８】
しかしながら、これら特許文献の樹脂製保持器に於いて、その強度を上げようとすると、樹脂製保持器の容積が大きいことから、転がり軸受内の空間容積が小さくなり、転がり軸受へのグリース封入量を少なくする必要があり、潤滑の観点からは最適な構造ではなかった。
【０００９】
また、これら特許文献の樹脂製保持器に於いて、その寸法精度を上げようとすると、上述した爪形状の係合爪は、その金型形状が複雑になり、製造工程が煩雑であるといったことがある。
【００１０】
本発明は、上述したような事情に鑑みてなされたものであって、保持器音の発生を抑制し、かつ、軸受内の潤滑性を向上することにより焼付きによる寿命低下を防止することができる、転がり軸受用保持器を提供することを目的とする。
【課題を解決するための手段】
【００１１】
上記の目的を達成するため、本発明に係る転がり軸受用保持器は、一対の合成樹脂製環状体を互いに軸方向に結合して樹脂製保持器を構成する転がり軸受用保持器に於いて、
各合成樹脂製環状体は、
互いに結合した時に、転動体を収納してその転動を十分に許容する複数個の略半球状ポケット部と、
隣接する略半球状ポケット部の間に設けた複数個の平面部と、を有して成り、
一対の合成樹脂製環状体の平面部は、互いに溶着により固定してあることを特徴とする。
【００１２】
また、本発明に係る転がり軸受用保持器は、一対の合成樹脂製環状体を互いに軸方向に結合して樹脂製保持器を構成する転がり軸受用保持器に於いて、
各合成樹脂製環状体は、
互いに結合した時に、転動体を収納してその転動を十分に許容する複数個の略半球状ポケット部と、
隣接する略半球状ポケット部の間に設けた複数個の平面部と、を有して成り、
各合成樹脂製環状体の平面部に、金属製の薄板状部材がインサート成形してあり、当該平面部は、互いにリベットにより固定してあることを特徴とする。
【発明の効果】
【００１３】
本発明によれば、保持器音の発生を抑制し、かつ、軸受内の潤滑性を向上することにより焼付きによる寿命低下を防止することができる。
【発明を実施するための最良の形態】
【００１４】
以下、本発明の実施の形態に係る転がり軸受用保持器を図面を参照しつつ説明する。
【００１５】
図１は、本発明の実施の形態に係る転がり軸受用保持器を装着した転がり軸受の断面図である。
【００１６】
図２（ａ）は、本発明の実施の形態に係る転がり軸受用保持器の一方の合成樹脂製環状体の斜視図であり、（ｂ）は、一対の合成樹脂製環状体を結合した保持器の状態の斜視図である。
【００１７】
図１に示すように、転がり軸受では、外輪１と内輪２との間に、転動体としての玉３が転動自在に介装してあり、これら玉３は、樹脂製保持器４により転動を十分に許容されつつ、所定間隔を維持して案内されるようになっている。
【００１８】
図２（ａ）（ｂ）に示すように、樹脂製保持器４は、互いに軸方向に結合した一対の合成樹脂製環状体１０，１０からなる。
【００１９】
各合成樹脂製環状体１０は、互いに軸方向に結合した時に、転動体の玉３を収納してその転動を十分に許容する複数個の略半球状ポケット部１１と、隣接する略半球状ポケット部１１，１１の間に設けた複数個の平面部１２と、を有している。なお、略半球状ポケット部１１は、転動体の玉３の半径に対して僅かに半径寸法を大きく形成してある。
【００２０】
さて、本実施の形態では、一対の合成樹脂製環状体１０，１０の平面部１２，１２は、互いに溶着により固定してある。
【００２１】
即ち、平面部１２，１２は、溶着（熱溶着又は超音波溶着）によって、一対の合成樹脂製環状体１０，１０を接合している。
【００２２】
尚、溶着方法としては、従来のリベット加締めと同様に、一方の合成樹脂製環状体１０の平面部に、円柱形状のピンを設け、他方の合成樹脂製環状体１０の平面部１１に、このピンが入る穴を設けることで、両者を位置決めした上で、このピンの先端を溶着することにより固定してあっても良い。
【００２３】
このように、本実施の形態によれば、保持器４の形状を、従来の波形保持器と同様に、軸方向に対称形状とすることで、保持器４のアンバランスによる振動を防止することができ、その結果、保持器音を低減することが可能になる。
【００２４】
また、転動体の玉３との接触面材質を非金属材料とすることで、保持器４の摩耗を防止し、保持器音の発生を抑制し、かつ、軸受内の潤滑性を向上することにより焼付きによる寿命低下を防止することができる。
【００２５】
更に、保持器形状を波形形状とすることで、冠型保持器で問題となる柱部の遠心力による変形や破壊を防止し、軸受の許容回転数も向上させることができる。
【００２６】
尚、本実施の形態の保持器４に用いる転動体３との接触部の材料としては、ポリアミド（ナイロン）・ポリアセタール（ＰＯＭ）・ポリフェニレンサルファイド（ＰＰＳ）樹脂等の熱可塑性樹脂が挙げられる。
【００２７】
図３（ａ）は、本発明の他の実施の形態に係る転がり軸受用保持器の一方の合成樹脂製環状体の斜視図であり、（ｂ）は、（ａ）に示した合成樹脂製環状体の透視図である。
【００２８】
本実施の形態では、各合成樹脂製環状体１０の平面部１１に、金属製の薄板状部材１３がインサート成形してあり、両平面部１１，１１は、孔１４にリベットを挿通して、互いにリベットの加締めにより固定してある。
【００２９】
従って、本実施の形態では、上述した実施の形態の溶着する場合に比べて、より強固に一対の合成樹脂製環状体１０，１０を固定することができる。
【００３０】
なお、この形態の場合には、上述した熱可塑性樹脂以外に、アクリルゴム・ニトリルゴム・ふっ素ゴム等のゴム材料・フェノール樹脂等の熱硬化性樹脂・ポリイミド・ＰＴＦＥ等も使用することができる。
【００３１】
また、本実施の形態においても、保持器４の形状を、従来の波形保持器と同様に、軸方向に対称形状とすることで、保持器４のアンバランスによる振動を防止することができ、その結果、保持器音を低減することが可能になる。また、転動体の玉３との接触面材質を非金属材料とすることで、保持器４の摩耗を防止し、保持器音の発生を抑制し、かつ、軸受内の潤滑性を向上することにより焼付きによる寿命低下を防止することができる。更に、保持器形状を波形形状とすることで、冠型保持器で問題となる柱部の遠心力による変形や破壊を防止し、軸受の許容回転数も向上させることができる。
【００３２】
なお、本発明は、上述した実施の形態に限定されず、種々変形可能である。
【図面の簡単な説明】
【００３３】
【図１】本発明の実施の形態に係る転がり軸受用保持器を装着した転がり軸受の断面図である。
【図２】（ａ）は、本発明の実施の形態に係る転がり軸受用保持器の一方の合成樹脂製環状体の斜視図であり、（ｂ）は、一対の合成樹脂製環状体を結合した保持器の状態の斜視図である。
【図３】（ａ）は、本発明の他の実施の形態に係る転がり軸受用保持器の一方の合成樹脂製環状体の斜視図であり、（ｂ）は、（ａ）に示した合成樹脂製環状体の透視図である。
【符号の説明】
【００３４】
１  外輪
２  内輪
３  転動体（玉）
４  樹脂製保持器
１０  合成樹脂製環状体
１１  略半球状ポケット部
１２  平面部
１３  金属製の薄板状部材
１４  孔
【図１】
2007040421.tif 000003
【図２】
2007040421.tif 000004
【図３】
2007040421.tif 000005